(57)【要約】      （修正有）【課題】呼吸効果を有し、長時間の着座または長時間の横臥で感じる蒸し暑さが回避できるマットと複数のマットからなるコンビネーションマットを提供する。【解決手段】１人の体を支持できるマット１０であって、収納空間２１を含み、少なくとも１面に複数の規則的に配列された通気孔２２が設けられた第１収容体２０と、不規則に絡み合った状態の複数の弾性緩衝糸からなり複数の緩衝空間を形成する支持体３０と、を含み、通気孔２２により、人体の重力がかかると空気が排出されて排気状態が形成され、人体の重力から解放されると弾性緩衝糸３１の弾性復元力が解放されるとともに緩衝空間３２内に吸気状態が形成され、支持体３０は、第１収容体２０の収納空間２１を含み、人体により圧縮されると弾性復元力を蓄えるとともに緩衝空間３２の空気が排出されて排気状態が形成され、人体の重力から解放されて弾性緩衝糸３１の弾性復元力が解放されるとともに緩衝空間３２内に吸気状態が形成される。【選択図】図３
0003213907.tif 000002
【実用新案登録請求の範囲】
【請求項１】
１人の体を支持できるマットであって、
収納空間（２１）を含み、少なくとも１面に複数の規則的に配列された通気孔（２２）が設けられた第１収容体（２０）と、
不規則に絡み合った状態の複数の弾性緩衝糸（３１）からなり複数の緩衝空間（３２）を形成する支持体（３０）と、
を含み、
前記通気孔（２２）により、人体の重力がかかると空気が排出されて排気状態が形成され、人体の重力から解放されると弾性緩衝糸（３１）の弾性復元力が解放されるとともに緩衝空間（３２）内に吸気状態が形成され、
支持体（３０）は、前記第１収容体（２０）の収納空間（２１）を含み、
人体により圧縮されると弾性復元力を蓄えるとともに緩衝空間（３２）の空気が排出されて排気状態が形成され、人体の重力から解放されて弾性緩衝糸（３１）の弾性復元力が解放されるとともに緩衝空間（３２）内に吸気状態が形成されることを特徴とするマット（１０）。
【請求項２】
前記マット（１０）は、前記第１収容体（２０）を内部に収容するための第２収容体（４０）を含むことを特徴とする請求項１に記載のマット（１０）。
【請求項３】
前記第２収容体（４０）は、開閉可能な第１開口部（４１）を含み、前記第１収容体（２０）を第２収容体（４０）に装入することを特徴とする請求項２に記載のマット（１０）。
【請求項４】
コンビネーションマット（５０）であって、
間隔を設けて互いに近接させた複数の取付空間（６１）を含む第３収容体（６０）と、
前記取付空間（６１）の各々に収納される複数のマット（１０）と、
複数の各々の前記マット（１０）は、人体を支持する第１収容体（２０）に収納される支持体（３０）と、
収納空間（２１）と、少なくとも１面に複数の規則的に配列された通気孔（２２）が設けられた第１収容体（２０）と、
を含み、
前記通気孔（２２）は、空気を通過させて第１収容体（２０）を排気状態とともに弾性復元力を蓄えた状態とし、
前記支持体（３０）は、不規則に絡み合った状態の複数の弾性緩衝糸（３１）からなって複数の緩衝空間（３２）を形成し、第１収容体（２０）の収納空間（２１）に収納され、
重力により圧縮されると弾性復元力を蓄えるとともに緩衝空間（３２）の空気が排出されて排気状態が形成される圧縮状態を形成し、重力から解放されると弾性緩衝糸（３１）の弾性復元力が解放されるとともに緩衝空間（３２）内に吸気状態を形成すること、を特徴とするコンビネーションマット（５０）。
【請求項５】
前記第３収容体（６０）は、複数の取付空間（６１）の上方に重ねて置く収容空間（６３）をさらに含むことを特徴とする請求項４に記載のコンビネーションマット（５０）。
【請求項６】
前記コンビネーションマット（５０）は、前記収容空間（６３）内に設置され、前記第３収容体（６０）内で前記各マットと互いに積み重なる緩衝クッション（７０）をさらに含むことを特徴とする請求項５に記載のコンビネーションマット（５０）。
【請求項７】
前記複数の各マット（１０）内の支持体（３０）は、異なる弾性係数を有する複数の弾性緩衝糸からなり、複数の各マット（１０）が異なる弾性係数を有することを特徴とする請求項４に記載のコンビネーションマット（５０）。
【考案の詳細な説明】
【技術分野】
【０００１】
本考案は、マットと複数のマットからなるコンビネーションマットに係り、より詳しくは呼吸効果を有し、長時間の着座または長時間横臥で発生する蒸し暑い不快感を避けることができるマットと複数のマットからなるコンビネーションマットに関する。
【背景技術】
【０００２】
マットは、例えば座布団、マットレス等のように、着座または横臥の快適感を高めるために、従来のスプリングから発泡材に代わり、その後徐々にメモリフォームに置換されてきた。
しかし、発泡材或いはメモリフォームはすべて通気性が悪いと言う欠点を有しているので、発泡材或いはメモリフォームの通気性を改善するため、多くの業者が、複数通気穴が形成さた発泡材またはメモリフォーム、さらには呼吸可能な発泡材またはメモリフォームを採用してきた。
しかし、発泡材またはメモリフォームの本体は、一枚の大きな高密度の発泡材料から切断し、片面に複数の通気穴が形成されているが、通気性不良の主な原因は、片面の複数の通気穴による効果の改善が限られており、人体から発生する熱気が、発泡材またはメモリフォーム内に蓄積されるためである。
【０００３】
台湾実用新案第ＣＮ１０４９５５３５９号公報には、中心マットレスブロックと、頭部マットレスブロックと、足部マットレスブロックとを含み、これらのマットレスブロックが、複数のマットレスモジュールからなり、これらのマットレスモジュールは、コア層と軟ゴム層とを含むジュール化マットレスからなるシステムが開示されている。
複数のマットレスモジュールの組み合わせにより、人体の肩、腕が隣接のマットレスモジュール内に伸びて圧迫感が減り、睡眠時の快適性が向上する。しかし、これらのマットレスモジュールはコア層と軟ゴム層で組み合せて形成されたものであり、同様に放熱しにくい問題を抱え、睡眠の快適性は改善されるが、長時間横臥した後感じる蒸し暑さは、やはり睡眠に影響を与える。
これより、長時間着座または長時間横臥した時に感じる蒸し暑さを避けるマットを提供することは、業界の急いで解決したい問題である。
【先行技術文献】
【特許文献】
【０００４】
【特許文献１】台湾実用新案第ＣＮ１０４９５５３５９号公報
【考案の概要】
【考案が解決しようとする課題】
【０００５】
本考案は従来のマットの問題点に鑑みてなされたものであって、本考案の目的とするところは、呼吸効果を有し、長時間の着座または長時間の横臥で感じる蒸し暑さが回避できるマットと複数のマットからなるコンビネーションマットを提供することにある。
【課題を解決するための手段】
【０００６】
上記目的を達成するためになされた本考案によるマットは、
１人の体を支持できるマットであって、
収納空間２１を含み、少なくとも１面に複数の規則的に配列された通気孔２２が設けられた第１収容体２０と、
不規則に絡み合った状態の複数の弾性緩衝糸３１からなり複数の緩衝空間３２を形成する支持体３０と、
を含み、
前記通気孔２２により、人体の重力がかかると空気が排出されて排気状態が形成され、人体の重力から解放されると弾性緩衝糸３１の弾性復元力が解放されるとともに緩衝空間３２内に吸気状態が形成され、
支持体３０は、前記第１収容体２０の収納空間２１を含み、
人体により圧縮されると弾性復元力を蓄えるとともに緩衝空間３２の空気が排出されて排気状態が形成され、人体の重力から解放されて弾性緩衝糸３１の弾性復元力が解放されるとともに緩衝空間３２内に吸気状態が形成されることを特徴とする。
【０００７】
前記マット１０は、前記第１収容体２０を内部に収容するための第２収容体４０を含むことを特徴とする。
【０００８】
前記第２収容体４０は、開閉可能な第１開口部４１を含み、前記第１収容体２０を第２収容体４０に装入することを特徴とする。
【０００９】
また、本考案は、コンビネーションマット５０であって、
間隔を設けて互いに近接させた複数の取付空間６１を含む第３収容体６０と、
前記取付空間６１の各々に収納される複数のマット１０と、
複数の各々の前記マット１０は、人体を支持する第１収容体２０に収納される支持体３０と、
収納空間２１と、少なくとも１面に複数の規則的に配列された通気孔２２が設けられた第１収容体２０と、
を含み、
前記通気孔２２は、空気を通過させて第１収容体２０を排気状態とともに弾性復元力を蓄えた状態とし、
前記支持体３０は、不規則に絡み合った状態の複数の弾性緩衝糸３１からなって複数の緩衝空間３２を形成し、第１収容体２０の収納空間２１に収納され、
重力により圧縮されると弾性復元力を蓄えるとともに緩衝空間３２の空気が排出されて排気状態が形成される圧縮状態を形成し、重力から解放されると弾性緩衝糸３１の弾性復元力が解放されるとともに緩衝空間３２内に吸気状態を形成すること、を特徴とする。
【００１０】
前記第３収容体６０は、複数の取付空間６１の上方に重ねて置く収容空間６３をさらに含むことを特徴とする。
【００１１】
前記コンビネーションマット５０は、前記収容空間６３内に設置され、前記第３収容体６０内で前記各マットと互いに積み重なる緩衝クッション７０をさらに含むことを特徴とする。
【００１２】
前記複数の各マット１０内の支持体３０は、異なる弾性係数を有する複数の弾性緩衝糸からなり、複数の各マット１０が異なる弾性係数を有することを特徴とする。
【考案の効果】
【００１３】
本考案によれば、弾性緩衝糸により、前記マットの内部に複数緩衝空間が形成され、第１収容体上の通気穴を通じて空気がマット内に出入りしてマット内に排気状態と吸気状態を形成する。前記マットには、呼吸のような効果が現われて、長時間座りまたは長時間横たわりで発生する蒸し暑い感を避けることができる。
【図面の簡単な説明】
【００１４】
【図１】本考案による第１実施形態のマットを示す斜視図である。
【図２】本考案による第１実施形態のマットを示す分解斜視図である。
【図３】本考案による第１実施形態のマットを示す一部断面図である。
【図４】本考案による第１実施形態においてマットが圧力を受けた後の一部断面図である。
【図５】本考案による第２実施形態のマットを示す斜視図である。
【図６】本考案による第３実施形態のマットを示す斜視図である。
【図７】本考案による第４実施形態のマットを示す断面図である。
【考案を実施するための最良の形態】
【００１５】
以下、本考案について、図面を参照しながら詳細に説明する。
図１は本考案による第１実施形態のマットを示す斜視図であり、図２は本考案による第１実施形態のマットを示す分解斜視図であり、図３は本考案による第１実施形態のマットを示す一部断面図であり、図４は本考案による第１実施形態においてマットが圧力を受けた後の一部断面図である。図１乃至図４に示すように、本考案による第１実施形態のマットを示す斜視図、分解斜視図、一部断面図、一部断面図である。本考案では、少なくとも一人の体重を負荷でき、第１収容体２０と支持体３０とを含むマット１０を提供する。
【００１６】
第１収容体２０は、人体が上に座ったり横たわったりすることができる。第１収容体２０の内部には、収納空間２１がある。第１収容体２０の少なくとも一側の表面上に複数の通気孔２２が設けられ、通気孔２２は第１収容体２０の表面上に規則的な配列または不規則的な配列を形成することが可能である。
本実施形態において、これらの通気孔２２が第１収容体２０の上方側の表面上に設置されるが、下方側の表面上または右、左側の上方の表面上に設置してもよい。
これらの通気孔２２が第１収容体２０を貫通して、気体がこれらの通気孔２２を通して収納空間２１内に入り込み、または収納空間２１内から排出されて、収納空間２１内に排気状態または吸気状態が形成される。
【００１７】
支持体３０は、不規則に絡み合った状態の複数の弾性緩衝糸３１からなり、弾性緩衝糸３１の間に複数の緩衝空間３２が形成される。支持体３０が第１収容体２０の収納空間２１内に収容されて第１収容体２０内に支持効果が形成され、第１収容体２０に所定の厚みを持たせる。即ち、第１収容体２０の厚みは、弾性緩衝糸３１の密度と厚みによって決定され、必要に応じて弾性緩衝糸３１の密度と厚みを調整することが可能である。
【００１８】
弾性緩衝糸３１の間に複数の緩衝空間３２が形成され、弾性緩衝糸３１自身が所定の弾性復帰力を有しているため、弾性緩衝糸３１が収納空間２１内に収容されると被圧縮状態または弾性復帰状態が形成される。被圧縮状態とは人体が第１収容体２０の外部に座るかまたは長時間横たわる場合、人体により支持体３０に重力がかかるため、弾性緩衝糸３１に弾性復帰力が蓄えられて被圧縮状態が形成される。人体が第１収容体２０から離れると支持体３０の重力が解放され、弾性緩衝糸３１の弾性復帰力が解放される。
【００１９】
支持体３０が第１収容体２０の収納空間２１に収容された後、第１収容体２０上に複数の通気孔２２を有するため、空気が通気孔２２を通して収納空間２１に入り込んだ後、空気が弾性緩衝糸３１間の複数の緩衝空間３２内に充填される。従って、人が第１収容体２０上に座るかまたは長時間横たわる場合、人の体重が支持体３０に対して重力を与え、収納空間２１内に被圧縮状態が形成される。支持体３０が圧縮を受けると、複数の緩衝空間３２内に充填された空気が圧縮を受けて通気孔２２を通して外へ排出され、収納空間２１内に排気状態が形成される。
【００２０】
逆に、人が第１収容体２０から離れると、弾性緩衝糸３１の弾性復帰作用により、支持体３０は弾性復帰状態となり、空気が収納空間２１内に入り込んで複数の緩衝空間３２内へ充填され、収納空間２１内に吸気状態が形成される。
そして、マット１０には、吸気状態と排気状態により呼吸のような作用が繰り返され、人が長時間座ったりまたは長時間横たわったりすることにより発生する熱気が外へ排出されて、蒸し暑い感じを避けることができる。
【００２１】
図５は本考案による第２実施形態のマットを示す斜視図である。図５に示す通り、マット１０は、図３の第１収容体２０と支持体３０とを内部に収容するための第２収容体４０をさらに含む。第２収容体４０が通気性材料で作られ、第１収容体２０に排気状態または吸気状態が形成される際、空気が第２収容体４０を通して第１収容体２０内に入り込む。なお、第２収容体４０は、一側に開閉可能な第１開口部４１を備えている。
【００２２】
本実施形態において、第１開口部４１はチャックを装着しているので、第１開口部４１を開いて、第１収容体２０と支持体３０を第２収容体４０内から取り出しまたは挿入することができ、第１開口部４１を閉じることにより第１収容体２０と支持体３０が第２収容体４０内から脱落するのを防止することができる。
第２収容体４０は、第１収容体２０と支持体３０の人体との直接接触を防止して、第１収容体２０と支持体３０の清潔さを確保するとともに、第１開口部４１から第１収容体２０と支持体３０を取り出して、交換及び洗濯を可能とする。
【００２３】
図６は本考案による第３実施形態のマットを示す斜視図であり、図７は本考案による第４実施形態のマットを示す断面図である。
図６と図７は、少なくとも一人の体重を支えることができるコンビネーションマット５０であり、第３収容体６０と複数のマット１０を備えている。
第３収容体６０の内部には、互いに間隔を置いて複数隣接する取付空間６１を備え、取付空間６１内にはマット１０が配置される。
【００２４】
本実施形態において、コンビネーションマット５０は、マットレスをメインとし、取付空間６１内に収容される各マット１０内の支持体３０は、異なる弾性係数の弾性緩衝糸３１で構成されている。マット１０は、異なる弾性係数の弾性緩衝糸３１で構成されているため、人の寝相に従って調整することが可能であり、コンビネーションマット５０に横たわる際の快適度を高め、適切な支持力が提供できる。なお、第３収容体６０には、第２開口部６２が設置されており、第２開口部６２は、チャックを備えているため、マット１０を第３収容体６０から取り出し第３収容体６０を洗濯することができる。
【００２５】
本実施形態では、コンビネーションマット５０内に緩衝クッション７０をさらに含み、第３収容体６０には、これらのマット１０を収容する取付空間６１のほか、同時に収容空間６３をさらに備え、収容空間６３は、取付空間６１の上方に重ねて置く緩衝クッション７０を収容する。即ち、第３収容体６０内において、緩衝クッション７０がマット１０の上方に設置され、第３収容体６０内に、緩衝クッション７０がマットと互いに積み重ねて、緩衝クッション７０によりコンビネーションマット５０の快適性を高め、同時に緩衝クッション７０の下方にあるマット１０の排気状態と吸気状態により、コンビネーションマット５０内の熱気が排出でき、長時間座ったりまたは長時間横たわる際に発生する蒸し暑い感じを避けることができる。
【００２６】
以上、本考案に関する好ましい実施例を説明したが、本考案は前記実施形態に限定されるものではなく、本考案の属する技術分野を逸脱しない範囲での全ての変更が含まれる。
【符号の説明】
【００２７】
１０：マット
２０：第１収容体
２１：収納空間
２２：通気孔
３０：支持体
３１：弾性緩衝糸
３２：緩衝空間
４０：第２収容体
４１：第１開口部
５０：コンビネーションマット
６０：第３収容体
６１：取付空間
６２：第２開口部
６３：収容空間
７０：緩衝クッション
【図１】
0003213907.tif 000003
【図２】
0003213907.tif 000004
【図３】
0003213907.tif 000005
【図４】
0003213907.tif 000006
【図５】
0003213907.tif 000007
【図６】
0003213907.tif 000008
【図７】
0003213907.tif 000009